(57)【要約】本発明は、コンセント装置において、複数の連結ソケットを有するマルチコンセント本体の連結ソケット表面のそれぞれに電源供給の優先順位を表示し、作動ランプを設けるように構成し、マルチコンセントの本体内部には電気回路部を設けるが、電気回路部はリモコン装置と無線でインタフェースしてマルチコンセント本体に連結された負荷の負荷状態の出力をチェックし、設定された過負荷閾値を超過すれば、あらかじめ定められた電源供給の優先順位に基づいて複数のスイッチをスイッチング制御するように構成する。また本発明はコンセントに挿入され、かつ少なくとも１つ以上の連結ソケットを有する複数個の中継ソケット本体と、複数個の中継ソケット本体を個別に無線で遠隔制御するリモコン装置とからなるが、中継ソケット本体の表面のそれぞれには識別表示を施し、リモコン装置を用いて中継ソケット本体のスイッチ状態確認を要請すれば、各中継ソケット本体のスイッチ状態をリモコン装置のソケット制御ボタンの発光ランプに表示する。【選択図】図２
2009517835.tif 000002
【特許請求の範囲】
【請求項１】
マルチコンセント装置において、
複数の連結ソケットを有するマルチコンセント本体の連結ソケットの表面のそれぞれに電源供給の優先順位を表示し、作動ランプを設けるように構成し、マルチコンセント本体の内部には電気回路部を設けるが、
前記電気回路部は、
前記複数の連結ソケットのそれぞれに対応し、所定スイッチの制御により常用電源の供給通路を選択的に形成する複数のスイッチと、
マルチコンセントの供給電源線に流れる電流を検出して負荷状態を出力する電流検出部と、
外部のリモコン装置と無線制御信号とを送受信する無線送受信部と、
前記無線送受信部を通じて受信されるリモコン装置のスイッチ遠隔制御信号に基づいて前記スイッチをスイッチング制御し、前記電流検出部からの負荷状態出力があらかじめ定められた過負荷閾値を超過すれば、あらかじめ定められた電源供給の優先順位に基づいて複数のスイッチをスイッチング制御する制御部とからなることを特徴とするコンセント装置。
【請求項２】
複数のボタンを有するリモコン本体のボタンを表面のそれぞれに電源供給の優先順位を表示し、対応ボタンの下部に作動ランプをそれぞれ設けてて構成し、ユーザが所定ボタンを押すことにより、前記マルチコンセント本体に対応する遠隔制御信号を無線送出し、マルチコンセント本体からの無線信号に基づいて作動ランプを選択的に点灯制御するリモコン装置をさらに含むことを特徴とする請求項１に記載のコンセント装置。
【請求項３】
前記リモコン装置は、
キーパッドに位置し、コンセントモードとテレビジョンモードのいずれかを選択するためのスイッチと、
リモコン装置の制御部の制御によりテレビジョンに赤外線信号を送出する赤外線送出部をさらに含むことを特徴とする請求項１または請求項２に記載のコンセント装置。
【請求項４】
中継コンセント装置において、
コンセントに挿入され、かつ少なくとも１つ以上の連結ソケットを有する複数個の中継ソケット本体と、前記複数個の中継ソケット本体を個別に無線で遠隔制御するリモコン装置とからなるが、前記中継ソケット本体の表面のそれぞれに識別表示を施し、前記リモコン装置には複数個の中継ソケット本体のそれぞれに対応するソケット制御ボタンと、前記ソケット制御ボタンにそれぞれ対応する発光ランプとを備え、
前記リモコン装置の電気回路部は、
前記複数個の中継ソケット本体のそれぞれに対する割当インデックスコードを含めて書き込むメモリと、
前記ソケット制御ボタンと中継ソケット本体のそれぞれのスイッチ状態を確認するためのランプボタンを備え、該当ボタンを押すと、これに対応するキーデータを発生するキーパッドと、
所定の制御により中継ソケット本体と無線送受信する無線送受信部と、
前記キーパッドからランプボタンに対応するキーデータが入力されることにより、無線送受信部を通じて中継ソケット本体にスイッチ状態確認を要請し、中継ソケット本体からの確認応答が受信されれば、確認応答に応じて発光ランプを点・消灯制御し、所定のソケット制御ボタンに対応するキーデータが入力されることにより、無線送受信部を通じて該当中継ソケット本体にスイッチの遠隔制御信号を無線伝送するリモコン制御部とからなることを特徴とする電源制御可能なコンセント装置。
【請求項５】
前記中継ソケット本体のそれぞれには作動ランプが設けられて構成されることを特徴とする請求項４に記載の電源制御可能なコンセント装置。
【請求項６】
前記リモコン装置は、
前記キーパッド上に位置し、コンセントモードとテレビジョンモードのいずれかを選択するためのモードスイッチと、
前記リモコン制御部の制御によりテレビジョンに赤外線信号を送出する赤外線送出部をさらに備えることを特徴とする請求項４または請求項５に記載の電源制御可能なコンセント装置。
【発明の詳細な説明】
【技術分野】
【０００１】
本発明は、電源制御装置に関するものであって、特に電源制御可能なコンセント装置に関する。
【背景技術】
【０００２】
一般家庭や事務所でコンセントは多様に使用されており、その中でも電源を必要とする電気製品（例えば、コンピュータ機器、家庭用機器、電熱機器、厨房機器など）が壁に設けられた電源メインコンセントと離れている場合、その電源を電気製品と連結するためにマルチコンセントを多く使用する。
【０００３】
マルチコンセントは複数の連結ソケットが設けられているため、多くの電気製品のプラグが差し込まれて使用されるので、常に過負荷のおそれがあり、また主に電気製品プラグは継続して差し込まれているので、非作動の電気製品に電流が印加されて電流が無駄に消耗される欠点があった。
【０００４】
これを防止するためにマルチコンセントの複数の連結ソケットのそれぞれにスイッチを別途に備え、ユーザが個別にスイッチを手動でオン／オフできるようなコンセントが開発されたが、ユーザが一々該当連結ソケットのスイッチをオン／オフ操作することは、非常に面倒なことであった。
【発明の開示】
【発明が解決しようとする課題】
【０００５】
そこで、本発明の目的は、ユーザが遠隔でマルチコンセント本体の連結ソケットを個別に電源制御可能なマルチコンセント装置を提供することにある。
【０００６】
本発明の他の目的は、マルチコンセント本体に過負荷が発生したとき、過負荷は防止しながらも、優先的に供給されなければならない電気製品には電源が持続的に供給されるように制御するマルチ型コンセント装置を提供することにある。
【０００７】
本発明のまた他の目的は、マルチコンセントの連結ソケットの電源状態を遠隔で確認することができるマルチコンセント装置を提供することにある。
【０００８】
本発明のまた他の目的は、ユーザが遠隔でコンセントに挿入された中継ソケット本体のそれぞれを制御して、電気製品の個別電源制御が可能なようにしたコンセント装置を提供することにある。
【０００９】
本発明のまた他の目的は、コンセントに連結された複数の中継ソケットのそれぞれの電源状態を遠隔で確認することができるコンセント装置を提供することにある。
【課題を解決するための手段】
【００１０】
上記の目的に従い、本発明は、コンセント装置において、複数の連結ソケットを有するマルチコンセント本体の連結ソケット表面のそれぞれに電源供給の優先順位を表示し、作動ランプを設けるように構成して、マルチコンセントの本体内部には電気回路部を設けるが、
前記電気回路部は、
前記複数の連結ソケットのそれぞれに対応し、所定スイッチの制御によって常用電源の供給通路を選択的に形成する複数のスイッチと、マルチコンセントの供給電源線に流れる電流を検出して負荷状態を出力する電流検出部と、外部のリモコン装置と無線制御信号を送受信する無線送受信部と、前記無線送受信部を通じて受信されるリモコン装置のスイッチ遠隔制御信号に基づいて前記スイッチをスイッチング制御し、電流検出部からの負荷状態出力があらかじめ定められた過負荷閾値を超過すれば、あらかじめ定められた電源供給の優先順位に基づいて複数のスイッチをスイッチング制御する制御部とからなることを特徴とする。
【００１１】
また本発明は、コンセント装置において、コンセントに挿入され、かつ少なくとも一つ以上の連結ソケットを有する複数個の中継ソケット本体と、前記複数個の中継ソケット本体を個別に無線で遠隔制御するリモコン装置とからなるが、前記中継ソケット本体の表面のそれぞれに識別表示を施し、前記リモコン装置には複数個の中継ソケット本体のそれぞれに対応するソケット制御ボタンと、前記ソケット制御ボタンのそれぞれに対応する発光ランプとを備え、前記リモコン装置の電気回路部は、前記複数個の中継ソケット本体のそれぞれに対する割当インデックスコードを含めて書き込むメモリと、前記ソケット制御ボタンと中継ソケット本体のそれぞれのスイッチ状態を確認するためのランプボタンを備え、該当ボタンを押すと、これに対応するキーデータを発生させるキーパッドと、所定の制御により中継ソケット本体と無線送受信する無線送受信部と、前記キーパッドからランプボタンに対応するキーデータが入力することにより、無線送受信部を通じて中継ソケット本体にスイッチ状態確認を要請し、中継ソケット本体から確認応答が受信されれば、確認応答に応じて発光ランプを点・消灯制御し、所定のソケット制御ボタンに対応するキーデータが入力されることにより、無線送受信部を通じて該当中継ソケット本体にスイッチの遠隔制御信号を無線伝送するリモコン制御部とからなることを特徴とする。
【発明の効果】
【００１２】
本発明はユーザが遠隔でマルチコンセント本体のソケットを個別に電源制御することができ、マルチコンセント本体に過負荷が発生したとき、過負荷は防止しながらも、優先的に供給されなければならない電気製品には電源が持続的に供給されるようにする。また個別に制御されたマルチコンセントの連結ソケットの電源状態やコンセントのそれぞれに連結された複数の中継ソケット本体の電源状態を遠隔で確認することができるという長所もある。
【発明を実施するための最良の形態】
【００１３】
以下、本発明の好ましい実施例を添付の図面を参照して詳しく説明する。
図面のうち、同一な構成要素は、できる限りどこでも同一な符号で示していることに留意しなければならない。また本発明の要旨を不明にするおそれがある公知機能および構成についての詳細な説明は省略する。
【００１４】
本発明の実施例でも図１乃至図５に示されたコンセント装置は本発明の一実施例としてマルチ型コンセント装置に関するものであり、図６乃至図１１に示されたコンセント装置は本発明の他の実施例として中継型コンセント装置に関するものである。
【００１５】
まず図１乃至図５を参照してマルチ型コンセント装置に関する本発明の実施例を詳しく説明する。
【００１６】
図１は本発明の実施例による連結ソケットの個別電源制御が可能なマルチコンセント装置の外観構成図であって、マルチコンセント本体２とリモコン装置４とからなる。
【００１７】
本発明の実施例によるマルチコンセント本体２とリモコン装置４は常用周波数大域でＲＦ（Ｒａｄｉｏ  Ｆｒｅｑｕｅｎｃｙ）近距離無線通信が可能なように具現され、ユーザがリモコン装置４を用いて遠隔でマルチコンセント本体２に備えられた複数の連結ソケットを個別に電源制御することができるように具現する。
【００１８】
マルチコンセント本体２は一般的なマルチコンセントと同様にパワースイッチＰＳＷが備えられ、かつ複数の連結ソケット、例えば、６つの連結ソケットＣ１〜Ｃ６を備える。しかし本発明の実施例によるマルチコンセント本体２は一般マルチコンセントとは違って、複数の連結ソケットＣ１〜Ｃ６それぞれの上部外周面には電源供給の優先順位を示すカラーのＲ（ｒｅｄ）、Ｏ（ｏｒａｎｇｅ）、Ｙ（ｙｅｌｌｏｗ）、ＢＬ（ｂｌｕｅ）、Ｇ（ｇｒｅｅｎ）、ＢＫ（ｂｌａｃｋ）が塗色され、併せて対応する作動ランプＬＰ１〜ＬＰ６も一側に設けられている。カラー表示のＲ（ｒｅｄ）、Ｏ（ｏｒａｎｇｅ）、Ｙ（ｙｅｌｌｏｗ）、ＢＬ（ｂｌｕｅ）、Ｇ（ｇｒｅｅｎ）、ＢＫ（ｂｌａｃｋ）のうち、赤色のＲ（ｒｅｄ）が最も優先順位が高く、次にＯ（ｏｒａｎｇｅ）、Ｙ（ｙｅｌｌｏｗ）、ＢＬ（ｂｌｕｅ）、Ｇ（ｇｒｅｅｎ）の順になり、黒色のＢＫ（ｂｌａｃｋ）が最も低い順位である。
【００１９】
前記のマルチコンセント本体２の連結ソケットの個数および塗色されたカラーの表示は一例として構成されたものであり、本発明では本発明の思想を外れない範囲内で多様に変形または変更して実施可能なことは、当該技術の分野における通常の知識を有する者に自明である。
【００２０】
従ってユーザは重要な電気製品は最優先順位グループに該当する連結ソケットＣ１、Ｃ２などに差し込み、よく使用しないか、または重要度が低い電気製品は最も優先順位が低い連結ソケットＣ６、Ｃ５に差し込めばよい。
【００２１】
前記のようなマルチコンセント本体２の構成は過負荷が発生したとき、その過負荷は防止しながらも、優先的に供給されなければならない電気製品には電源が持続的に供給されるようにするためのものである。
【００２２】
一方、図１のリモコン装置４は図４に示されたように、マルチコンセント本体２に備えられた連結ソケットの個数（例えば、６つ）だけのソケット制御ボタンが備えられたソケット制御ボタン部４０を含むが、６つの各ボタンの外周面にはマルチコンセント本体２の各連結ソケットＣ１〜Ｃ６に塗色されたカラー表示と同一なカラー表示のＲ（ｒｅｄ）、Ｏ（ｏｒａｎｇｅ）、Ｙ（ｙｅｌｌｏｗ）、ＢＬ（ｂｌｕｅ）、Ｇ（ｇｒｅｅｎ）、ＢＫ（ｂｌａｃｋ）が塗色される。前記ボタンは、例えば、透光性または半透光性のキャップからなり、その下部のリモコン装置４のケース内には対応する発光ランプＬＤ１〜ＬＤ６が設けられる。またリモコン装置４のキーパッド（図３の３６）にはコンセントモードとテレビジョンモードのいずれかを選択するためのモードスイッチ４２と、マルチコンセント本体２の各連結ソケットＣ１〜Ｃ６の状態確認を要請するためのランプボタン４４と、テレビジョンモード時のチャンネルおよび音量調整のための調整ボタン４６とが備えられる。
【００２３】
前記のようなリモコン装置４はマルチコンセント本体２の連結ソケットの電源供給通路を遠隔制御する機能とともに、テレビジョン制御機能を含んでおり、図３に示されたように、リモコン制御部３０と、無線送受信部３２と、赤外線送出部３４と、キーパッド３６と、発光ランプ部３８とからなる。
【００２４】
リモコン制御部３０はリモコン装置４の全般的な動作を制御し、無線送受信部３２は常用周波数大域でマルチコンセント本体２とＲＦ無線送受信するブロックであり、赤外線送出部３４はテレビジョンモードを選択すればテレビジョンに赤外線信号を送出する。キーパッド３６には図４とともに説明したソケット制御ボタン部４０と、モードスイッチ４２と、ランプボタン４４と、および調整ボタン４６とからなり、ユーザがキー入力を押すと、これに対応するキーデータをリモコン制御部３０に印加する。発光ランプ部３８は連結ソケットの個数だけのソケット制御ボタンの下部に設けられた三色の発光ランプＬＤ１〜ＬＤ６からなり、リモコン制御部３０の制御により点・消灯される。
【００２５】
図１のマルチコンセント本体２の内部には図２に示されたようなマルチコンセント本体の電気回路部が設けられる。
【００２６】
図２を参照すれば、マルチコンセント本体の電気回路部は、制御部１０と、ＤＣ電源供給部１２と、無線送受信部１４と、メモリ１６と、ＣＴ（Ｃｕｒｒｅｎｔ  Ｔｒａｎｓｆｏｒｍｅｒ）と、電流検出部１８と、複数の作動ランプＬＰ１〜ＬＰ６を備える作動ランプ部２０と、およびスイッチング部２４とからなる。
【００２７】
スイッチング部２４は複数の連結ソケットＣ１〜Ｃ６のそれぞれに対応して連結された複数のリレースイッチＲＬ１〜ＲＬ６と、リレー駆動部ＲＤ１〜ＲＤ６とからなり、リレー駆動部ＲＤ１〜ＲＤ６は制御部１０の制御によりスイッチＲＬ１〜ＲＬ６をスイッチング制御して連結ソケットＣ１〜Ｃ６への常用電源ＡＣの供給通路を選択的に形成する。
【００２８】
ＣＴ（Ｃｕｒｒｅｎｔ  Ｔｒａｎｓｆｏｒｍｅｒ）はマルチコンセント本体２内の供給電源線２２を囲むように結合され、供給電源線２２に電流が流れることにより発生する磁場を電流に変換して電流検出部１８に出力し、電流検出部１８は変換された電流値に対応する電圧値を制御部１０に印加する。従って制御部１０はＣＴと電流検出部１８とを通じて印加された電圧値に基づいてマルチコンセント本体２の連結ソケットＣ１〜Ｃ６に挿入連結され、各種電気製品に供給される電力の負荷状態をチェックすることができる。
【００２９】
無線送受信部１４は常用周波数大域で外部のリモコン装置４と無線制御信号を送受信するブロックであり、ＤＣ電源供給部１２は常用電源ＡＣを変換して直流電源に変換し、制御部１０および他の回路部に供給する。作動ランプ部２０の複数の作動ランプＬＰ１〜ＬＰ６は、図１に示されたようにマルチコンセント本体２の連結ソケットＣ１〜Ｃ６の上部一側に設けられ、制御部１０の制御により選択的に点灯される。
【００３０】
図２のメモリ１６は動作プログラムがマッピングされており、電源供給の優先順位に関するデータおよび過負荷閾値などのデータが書き込まれ、制御部１０の制御により各種データが書き込みおよび読み出しされる。
【００３１】
制御部１０は無線送受信部１４を通じて印加されるリモコン装置４のスイッチ遠隔制御信号に基づいてスイッチング部２４のリレースイッチＲＬ１〜ＲＬ６をスイッチング制御し、また電流検出部１８から印加される負荷状態に対応する電圧値が、あらかじめ定められた過負荷閾値を超過すれば、あらかじめ定められた電源供給の優先順位に基づいてスイッチング部２４のリレースイッチＲＬ１〜ＲＬ６をスイッチング制御する。また制御部１０は作動ランプＬＰ１〜ＬＰ６のうち、現在電源を供給しているスイッチに対応する作動ランプが点灯されるように制御し、リモコン装置４からの電源スイッチ状態確認要請により、現在の電源スイッチ状態をリモコン装置４に伝送する。
【００３２】
図２において、未説明の参照符号“Ｐ”はプラグである。
【００３３】
図５は図２のマルチコンセント本体２の制御部１０における制御流れ図である。
【００３４】
以下、添付した図面を参照して本発明の実施例をさらに詳しく説明する。
【００３５】
ユーザはマルチコンセント本体２のカラー表示を確認して重要な電気製品は優先順位が高い連結ソケットＣ１またはＣ２などに差し込み、よく使用しないか、または重要度が低い電気製品は最も優先順位が低い連結ソケットＣ６またはＣ５に差し込むようになる。
【００３６】
平素、マルチコンセント本体２の全ての連結ソケットＣ１〜Ｃ６は差し込まれた該当電気製品に常用電源が供給されるように制御されるが、リモコン装置４からのスイッチ遠隔制御や過負荷検出によっては個別に電源制御される。
【００３７】
平素、マルチコンセント本体２の制御部１０はスイッチング部２４の各リレースイッチＲＬ１〜ＲＬ６がオンされるように制御し、それとともに作動ランプ部２０の全ての作動ランプ２０を緑色点灯されるように制御する。これにより連結ソケットＣ１〜Ｃ６に差し込まれた該当電気製品に常用電源が供給され、連結ソケットＣ１〜Ｃ６のそれぞれに位置した作動ランプ２０は緑色点灯された状態である。
【００３８】
しかしながら、リモコン装置４の連結ソケットＣ１〜Ｃ６に対応ソケット制御ボタン部４０の各ボタンの下部に設けられた発光ランプＬＤ１〜ＬＤ６は初期には消灯状態であり、ユーザがランプボタン４４を押してスイッチ状態確認を要請した後には、マルチコンセント本体２の確認応答結果に応じて点・消灯される。
【００３９】
つまり、ユーザがランプボタン４４を押してスイッチ状態確認を要請すれば、リモコン制御部３０は無線送受信部３２を通じてスイッチ状態確認要請信号を無線伝送し、マルチコンセント本体２の無線送受信部１４を通じてスイッチ状態確認要請信号を受信した制御部１０はメモリ１６に書き込まれたスイッチ状態を読み出してスイッチ状態確認応答信号をリモコン装置４に無線伝送するようになる（図５の１０４ステップおよび１０６ステップ）。これによりリモコン制御部３０はスイッチ状態確認応答信号に基づいて発光ランプ部３８の発光ランプＬＤ１〜ＬＤ６を点・消灯制御する。またリモコン装置３０の発光ランプ部３８の緑色点灯状態は、あらかじめ定められた時間（例えば３０秒程度）が経過すれば消灯されるように制御してリモコン装置４のバッテリ消耗を減らすことができる。
【００４０】
ユーザはソケット制御ボタン部４０の各ボタンの点・消灯状態をみてマルチコンセント本体２の連結ソケットＣ１〜Ｃ６の現在状態を把握することができ、本人が所望する連結ソケットに対して個別に電源を制御することができる。特にソケット制御ボタン部４０の各ボタンに塗られたカラーとマルチコンセント本体２の各連結ソケットＣ１〜Ｃ６の上部外周面に塗られたカラーが同一であるので、自分が電源制御すべき連結ソケットを容易に見つけることができる。
【００４１】
ユーザがリモコン装置４のソケット制御ボタン部４０のボタンのうち、個別に電源制御したいボタンを押すと、リモコン装置４のリモコン制御部３０はこれに対応するスイッチ遠隔制御信号を無線送受信部３２を通じて無線送信するようになり、マルチコンセント本体２の制御部１０ではこれを受信してスイッチング部２４の該当リレースイッチを制御するとともに、作動ランプ部２０の対応作動ランプを点・消灯させる（図５の１００ステップおよび１０２ステップ）。またリレースイッチ制御した結果状態をリモコン装置４に無線伝送することにより、リモコン制御部３０が新たに個別電源制御された連結ソケットに対応する発光ランプを緑色点・消灯制御するようになる。こうしてユーザが押したボタンには緑色発光または消灯表示が直ちに示される。
【００４２】
前記のような制御は、ユーザが遠隔でマルチコンセント本体２の連結ソケットを個別に電源制御することができ、現在連結ソケットの個別電源制御状態を必要に応じてモニターすることができるようにする。
【００４３】
一方、マルチコンセント本体２の制御部１０は電流検出部１８を通じてマルチコンセント本体２にかかる電源の負荷状態を周期的に検出し、現在の負荷がメモリ１６にあらかじめ定められた過負荷閾値より大きいかをチェックする（図５の１０８ステップおよび１１０ステップ）。あらかじめ定められた過負荷閾値は定格負荷の８０％乃至１３０％までの範囲で設定することができる。
【００４４】
図５の１１０ステップの判断で、もし現在の負荷があらかじめ定められた過負荷閾値より大きい場合は、制御部１０は優先順位に基づいて低い優先順位の順でスイッチング部２４のリレースイッチを順次オフさせながら現在の負荷を再度チェックする（図５の１１２ステップおよび１１４ステップ）。併せてリレースイッチオフされた結果状態をリモコン装置４に無線伝送することにより（図５の１１２ステップ）、リモコン制御部３０は電源オフされた連結ソケットに対応する発光ランプ（例えばＬＤ６、ＬＤ５）が所定期間、赤色点滅してから消灯されるように制御する。
【００４５】
マルチコンセント本体２の連結ソケットＣ１〜Ｃ６のうち、優先順位が低い連結ソケット、例えば、連結ソケットＣ６、Ｃ５には前もってユーザがよく使用しないか、または重要度が低い電気製品の電源プラグを差し込んでおくので、電源供給が中止されても別に問題は発生しない。
【００４６】
このような本発明の実施例による制御は、マルチコンセント本体に過負荷が発生したとき、過負荷は防止しながらも優先的に供給されなければならない電気製品には電源が持続的に供給されるようにする。
【００４７】
優先順位に基づいてスイッチング部２４のスイッチをオフ（ｏｆｆ）制御し、最優先順位グループに該当するスイッチのみがオン（ｏｎ）制御されたにもかかわらず、過負荷状態が持続されれば、マルチコンセント本体２の制御部１０は最優先順位グループに該当するスイッチを直ちにオフせずに、まず数十秒乃至数十分程度の遅延タイマーを駆動し、リモコン制御部３０にスイッチのオフ予定通報信号を無線伝送する（図５の１１６ステップ）。これによりリモコン制御部３０は電源オフ予定の最優先順位グループの連結ソケットに対応する発光ランプ（例えばＬＤ２、ＬＤ１）を黄色点滅されるように制御する。
【００４８】
ユーザは最優先順位グループの連結ソケットに対応する各ボタンの発光ランプが黄色点滅されることにより、該当電気製品のプラグを他のメインコンセントに移す、それなりの措置をとることができる。
【００４９】
前記遅延タイマーの駆動が完了すれば（図５の１１８ステップ）、マルチコンセント２の制御部１０は最優先順位グループのスイッチ中でも優先順位が低いスイッチをオフ制御するとともに、リレースイッチがオフされた結果状態をリモコン装置４に無線伝送する（図５の１２０ステップ）。これによりリモコン制御部３０は電源オフされた連結ソケットに対応され、黄色点滅している発光ランプ（例えばＬＤ２、ＬＤ１）を所定期間赤色点滅させてから消灯されるように制御する。
【００５０】
一方、リモコン装置４はマルチコンセント本体２の連結ソケットの電源を個別に遠隔制御する機能以外もテレビジョンのリモコンとしても使用することができる。
【００５１】
つまり、リモコン装置４のキーパッド３６上にはモードスイッチ４２が備えられているところ、ユーザがモードスイッチ４２を「コンセント」から「ＴＶ」に切り替えれば、リモコン制御部３０はテレビジョンモードに入るようになる。テレビジョンモードでユーザが上下左右の調整ボタン４６を押すと、テレビジョンのチャンネルおよび音量を調整することができる。
【００５２】
詳しく説明すれば、テレビジョンモードでユーザが上下左右の調整ボタン４６を押すと、キーパッド３６はそれに対応するキーデータをリモコン制御部３０に印加し、リモコン制御部３０は赤外線送出部３４を通じて対応する赤外線信号をテレビジョンに送出させる。
【００５３】
次に、図６乃至図１１を参照して中継型コンセント装置に関する本発明の他の実施例を詳しく説明する。
【００５４】
図６は本発明の他の実施例による複数個の中継ソケット本体を個別に電源制御可能な中継コンセント装置構成図であって、複数個の中継ソケット本体２０２ｋ（ｋ＝ａ、ｂ、ｃ、ｄ、ｅ、ｆのいずれか）と、複数個の中継ソケット本体２０２ｋを無線で個別に遠隔制御するリモコン装置２０４とからなる。
【００５５】
複数個の中継ソケット本体２０２ｋはメイン電源コンセントやマルチコンセントにプラグＰが挿入され、かつ少なくとも一つ以上の連結ソケットＣが備えられる。複数個の中継ソケット本体２０２ｋのそれぞれの上部外周面には識別表示を示すカラー、例えば、Ｒ（ｒｅｄ）、Ｏ（ｏｒａｎｇｅ）、Ｙ（ｙｅｌｌｏｗ）、ＢＬ（ｂｌｕｅ）、Ｇ（ｇｒｅｅｎ）、ＢＫ（ｂｌａｃｋ）が塗色され、併せて対応する作動ランプ２２０ｋ（ｋ＝a、b、c、d、e、ｆのいずれか）ＬＰ１〜ＬＰ２もそれぞれ設けられている。
【００５６】
前記の複数個の中継ソケット本体２０２ｋの個数および中継ソケット本体２０２ｋのそれぞれに塗られたカラー識別表示は一例として構成されたものであり、本発明では本発明の思想を外れない範囲内で多様に変形または変更して実施可能なことは、当該技術の分野における通常の知識を有する者に自明である。複数個の中継ソケット本体２０２ｋはリモコン装置２０４と共に一組で販売されることが好ましい。
【００５７】
一方、図６のリモコン装置２０４は図９に示されたように、複数個の中継ソケット本体２０２ｋの個数だけのソケット制御ボタンが備えられたソケット制御ボタン部２４０を含むが、各ボタンの外周面には各中継ソケット本体２０２ｋにそれぞれ塗色されたカラー識別表示と同一なカラー識別表示、例えば、Ｒ（ｒｅｄ）、Ｏ（ｏｒａｎｇｅ）、Ｙ（ｙｅｌｌｏｗ）、ＢＬ（ｂｌｕｅ）、Ｇ（ｇｒｅｅｎ）、ＢＫ（ｂｌａｃｋ）が塗色される。ソケット制御ボタン部２０４のボタンは、例えば、透光性または半透光性のキャップからなり、その下部のリモコン装置２０４のケース内には対応発光ランプＬＤ１〜ＬＤ６が設けられる。
【００５８】
またリモコン装置２０４のキーパッド（図８の２３６）にはコンセントモードとテレビジョンモードのいずれかを選択するためのモードスイッチ２４２と、中継ソケット本体２０２ｋのスイッチ状態を確認するためのランプボタン２４４と、テレビジョンモード時のチャンネルおよび音量を調整するための調整ボタン２４６とが備えられる。
【００５９】
前記のようなリモコン装置２０４は複数個のソケット中継本体２０２ｋの電源供給状態をモニターする機能と電源供給可否を遠隔制御する機能が備えられ、併せてテレビジョン制御機能も含んでいる。
【００６０】
図８に示されたように、リモコン装置２０４の電気回路部は、リモコン制御部２３０と、無線送受信部２３２と、赤外線送出部２３４と、キーパッド２３６と、発光ランプ部２３８と、およびメモリ２３９とからなる。
【００６１】
リモコン制御部２３０はリモコン装置２０４の全般的な動作を制御する。特にリモコン制御部２３０はキーパッド２３６からランプボタン２４４に対応するキーデータが入力されることにより、無線送受信部２３２を通じて中継ソケット本体２０２ｋにスイッチ状態確認を要請し、中継ソケット本体２０２ｋからの確認応答が受信されれば確認応答に応じて発光ランプ部２３８の発光ランプを点・消灯制御し、ソケット制御ボタン部２４０の所定のソケット制御ボタンに対応するキーデータが入力されることにより、無線送受信部２３２を通じて該当中継ソケット本体２０２ｋのいずれかにスイッチ遠隔制御信号を無線伝送する。
【００６２】
無線送受信部２３２は常用周波数大域で複数の中継ソケット本体２０２ｋとＲＦ無線送受信するブロックであり、赤外線送出部２３４はテレビジョンモードを選択したとき、テレビジョンに赤外線信号を送出する。キーパッド２３６には図９とともに説明したソケット制御ボタン部２４０と、モードスイッチ２４２と、ランプボタン２４４と、および調整ボタン２４６とからなり、ユーザがキー入力を押すと、これに対応するキーデータをリモコン制御部２３０に印加する。発光ランプ部２３８は連結ソケットの個数だけのソケット制御ボタンの下部に設けられた三色の発光ランプＬＤ１〜ＬＤ６からなり、リモコン制御部２３０を制御することにより点・消灯される。
【００６３】
メモリ２３９はリモコン制御部２３０により制御され、動作プログラムと複数個の中継ソケット本体のそれぞれに対する割当インデックスコードを含むデータが書き込まれる。
【００６４】
図６の中継コンセント装置で中継ソケット本体２０２ｋのそれぞれの電気回路部は、図７に示されたように、制御部２１０と、ＤＣ電源供給部２１２と、無線送受信部２１４と、スイッチング部２１６と、メモリ２１８と、作動ランプ２２０ｋ（ｋ＝ａ、ｂ、ｃ、ｄ、ｅ、ｆのいずれか）とからなる。
【００６５】
スイッチング部２１６は一つの連結ソケットＣまたは複数の並列連結された連結ソケットＣにリレースイッチＲＬが連結され、リレー駆動部ＲＤは制御部２１０の制御によりリレースイッチＲＬをスイッチング制御して連結ソケットＣへの常用電源ＡＣの供給通路を選択的に形成する。
【００６６】
無線送受信部２１４は常用周波数大域で外部のリモコン装置２０４と無線制御信号を送受信するブロックであり、ＤＣ電源供給部２１２は常用電源ＡＣを直流電源に変換して制御部２１０および他の回路部に供給する。図１に示されるように、複数の作動ランプ部２０の作動ランプＬＰ１〜ＬＰ６は、マルチコンセント本体２の連結ソケットＣ１〜Ｃ６の上部に設置され、制御部１０によって選択的に点灯される。
【００６７】
作動ランプ２２０ｋは図６に示されたように複数個の中継ソケット本体２０２ｋに一つずつ設けられ、制御部２１０の制御により点・消灯される。
【００６８】
図７のメモリ２１８は動作プログラムと該当中継ソケット本体２０２ｋの割当インデックスコードがマッピングされており、制御部２１０の制御により現在の電源スイッチ状態を含む各種データが書き込みおよび読み出しされる。
【００６９】
制御部２１０は無線送受信部２１４を通じて印加されるリモコン装置２０４の電源スイッチ状態確認要請により、現在の電源スイッチ状態をメモリ２１８から読み出してリモコン装置２０４に伝送する。また制御部２１０はリモコン装置２０４からのスイッチ遠隔制御信号に基づいてスイッチング部２１６のリレースイッチＲＬをスイッチング制御するとともに、作動ランプ２２０ｋが点・消灯されるように制御する。前記リレースイッチＲＬがスイッチオンされれば、作動ランプ２２０ｋは点灯される。
【００７０】
図１０は図８のリモコン制御部２３０における制御流れ図であり、図１１は図７の中継ソケット本体２０２ｋの制御部２１０における制御流れ図である。
【００７１】
以下、図６乃至図１１を参照して本発明の他の実施例による中継型コンセント装置の動作をさらに詳しく説明する。
【００７２】
ユーザは複数個の中継ソケット本体２０２ｋのプラグＰを自分が所望するコンセント、例えば、壁に設けられたメインコンセントやメインコンセントに接続されたマルチコンセントなどに必要な分だけ差し込むことができる。また中継ソケット本体２０２ｋの連結ソケットＣには電気製品のプラグを差し込む。
【００７３】
このように中継ソケット本体２０２ｋを設けると、ユーザはリモコン装置２０４を用いて中継ソケット本体２０２ｋの電源状態を全体的にモニターすることができ、さらに中継ソケット本体２０２ｋの電源供給を個別に制御することができる。
【００７４】
平素、全ての中継ソケット本体２０２ｋの各制御部２１０はスイッチング部２１６のリレースイッチＲＬがオンされるように制御し、それとともに作動ランプ２２０ｋを緑色点灯されるように制御する。これにより中継ソケット本体２０２ｋの連結ソケットＣに差し込まれた該当電気製品に常用電源が供給され、各中継ソケット本体２０２ｋの作動ランプ２２０は緑色点灯された状態である。
【００７５】
しかしながらリモコン装置２０４の中継ソケット本体２０２ｋのそれぞれに対応するソケット制御ボタン部２４０の各ボタンの下部に設けられた発光ランプＬＤ１〜ＬＤ６は初期には消灯状態であり、ユーザがランプボタン２４４を押してスイッチ状態確認を要請し、複数の中継ソケット本体２０２ｋの確認応答結果に応じて点・消灯される。
【００７６】
つまり、ユーザがランプボタン２４４を押してスイッチ状態確認を要請すれば、リモコン制御部２３０はメモリに書き込まれた割当インデックスコードを読み出して各中継ソケット本体２０２ｋに伝送するスイッチ状態確認要請信号を生成し(図１０の３００ステップおよび３０２ステップ)、その後、無線送受信部２３２を通じてスイッチ状態確認要請信号を各中継ソケット本体２０２ｋに無線伝送する（図１０の３０４ステップ）。
【００７７】
これにより各中継ソケット本体２０２ｋの制御部２１０は自分の無線送受信部２１４を通じてスイッチ状態確認要請信号を受信し（図１１の４００ステップ）、自分に既設定された割当インデックスコードであるかを判断し、割当インデックスコードであった場合は、メモリ２１８に書き込まれたスイッチ状態を読み出してスイッチ状態確認応答信号をリモコン装置２０４に無線伝送する（図１１の４０２ステップおよび４０４ステップ）。
【００７８】
リモコン装置２０４のリモコン制御部２３０は中継ソケット本体２０２ｋから受信されるスイッチ状態確認応答信号が受信されれば（図１０の３０６ステップ）、それに基づいて発光ランプ部２３８の発光ランプＬＤ１〜ＬＤ６を点・消灯制御する（図１０の３０８ステップ）。このとき、リモコン装置２３０の発光ランプ部２３８の緑色点灯状態はあらかじめ定められた時間（例えば３０秒程度）が経過すれば消灯されるようにリモコン制御部２３０により制御されるので、リモコン装置２０４のバッテリ消耗を減らすことができる。
【００７９】
ユーザはソケット制御ボタン部２４０の各ボタンの点・消灯状態をみて、各中継ソケット本体２０２ｋのそれぞれの現在電源状態を把握することができ、本人が所望する中継ソケット本体２０２ｋに対しては個別に電源を制御することができる。特にソケット制御ボタン部２４０の各ボタンに塗られたカラーと中継ソケット本体２０２ｋのそれぞれの上部外周面に塗られたカラーが同一であるので、自分が電源制御すべき中継ソケット本体２０２ｋを容易に確認または認識することができる。
【００８０】
ユーザがリモコン装置２０４のソケット制御ボタン部２４０のボタンのうち個別に電源を制御したい中継ソケット本体２０２ｋに対応するボタンを押すと、リモコン装置２０４のリモコン制御部２３０はメモリ２３９で該当割当インデックスコードを読み出し、これに対応するスイッチ遠隔制御信号を生成してから、無線送受信部２３２を通じて無線伝送する（図１０の３１０ステップおよび３１２ステップ）。
【００８１】
該当中継ソケット本体２０２ｋの制御部２１０ではこれを受信してスイッチング部２１６のリレースイッチＲＬをスイッチング制御するとともに作動ランプ２２０ｋを点・消灯させる（図１１の４０６ステップおよび４０８ステップ）。また前記制御部２１０はリレースイッチＲＬを制御した結果状態をリモコン装置２０４に無線応答伝送する（図１１の４０８ステップ）。
【００８２】
無線応答を受信したリモコン装置２０４のリモコン制御部２３０は発光ランプ部２３８の発光ランプＬＰ１〜ＬＰ６のうち、新たに遠隔で個別電源制御された中継ソケット本体２０２ｋに対応する発光ランプを緑色点・消灯制御する（図１０の３１４ステップおよび３１６ステップ）。このようにして、ユーザが押したボタンには緑色発光または消灯表示が直ちに示される。
【００８３】
前記のような動作はユーザが遠隔で中継ソケット本体２０２ｋの電源供給を個別に制御することができるようにし、また現在の中継ソケット本体２０２ｋの電源供給可否を必要に応じてモニターすることができるようにする。
【００８４】
一方、リモコン装置２０４は中継ソケット本体２０２ｋの電源を個別に遠隔制御する機能以外もテレビジョンのリモコンとしても使用可能である。
【００８５】
つまり、リモコン装置２０４のキーパッド２３６上にはモードスイッチ２４２が備えられているところ、ユーザがモードスイッチ２４２を「コンセント」から「ＴＶ」に切り替えれば、リモコン制御部２３０はテレビジョンモードに入るようになる。テレビジョンモードでユーザが上下左右の調整ボタン２４６を押すと、テレビジョンのチャンネルおよび音量を調整することができる。
【００８６】
詳しく説明すれば、テレビジョンモードでユーザが上下左右の調整ボタン２４６を押すと、キーパッド２３６はそれに対応するキーデータをリモコン制御部２３０に印加し、リモコン制御部２３０はこれを認識して赤外線送出部２３４を通じて対応する赤外線信号をテレビジョンに送出させる（図１０の３１８ステップおよび３２０ステップ）。
【００８７】
本発明ではコンセント本体２、２０２ｋとリモコン装置４、２０４間の近距離無線通信としてＲＦ無線通信を言及しているが、ブルートゥース方式やワイファイ方式など、他の近距離無線通信方式でも具現できることが本技術の分野における通常の知識を有する者に自明になる。
【００８８】
上述の本発明の説明では、具体的な実施例について説明したが、本発明の思想を外れない範囲内で変形して実施することができる。従って本発明の範囲は、説明した実施例により定められるものではなく、特許請求の範囲と特許請求の範囲の均等なものにより定められるものである。
【産業上の利用可能性】
【００８９】
本発明は電気製品のうち、コンセントに適用されて広く使用されることができる。
【図面の簡単な説明】
【００９０】
【図１】本発明の実施例による電源制御可能なマルチ型コンセント装置の外観構成図。
【図２】図１のマルチコンセント装置におけるマルチコンセント本体の回路ブロック構成図。
【図３】図１のマルチコンセント装置におけるリモコン装置の回路ブロック構成図。
【図４】図３のリモコン装置の外観概略図。
【図５】図２のマルチコンセント本体の制御部における制御流れ図。
【図６】本発明の他の実施例による電源制御可能な中継型コンセント装置構成  図。
【図７】図６の中継コンセント装置における中継ソケット本体のそれぞれの回路ブロック構成図。
【図８】図６の中継コンセント装置におけるリモコン装置の回路ブロック構成図。
【図９】図８のリモコン装置の外観概略図。
【図１０】図８のリモコン制御部における制御流れ図。
【図１１】図７の中継ソケット本体の制御部における制御流れ図。
【図１】
2009517835.tif 000003
【図２】
2009517835.tif 000004
【図３】
2009517835.tif 000005
【図４】
2009517835.tif 000006
【図５】
2009517835.tif 000007
【図６】
2009517835.tif 000008
【図７】
2009517835.tif 000009
【図８】
2009517835.tif 000010
【図９】
2009517835.tif 000011
【図１０】
2009517835.tif 000012
【図１１】
2009517835.tif 000013
【国際調査報告】
2009517835.tif 000014
2009517835.tif 000015